【手続補正書】
【提出日】平成17年10月3日(2005.10.3)
【手続補正１】
【補正対象書類名】明細書
【補正対象項目名】発明の名称
【補正方法】変更
【補正の内容】
【発明の名称】デジタルカメラ、そのデジタルカメラを用いた情報処理システム、情報処理装置、及び、情報処理方法
【手続補正２】
【補正対象書類名】明細書
【補正対象項目名】特許請求の範囲
【補正方法】変更
【補正の内容】
【特許請求の範囲】
【請求項１】  被写体を撮影する撮影手段と、
前記撮影手段により前記被写体を撮影することによって得られた画像データにＯＣＲ処理を施して、前記画像データをテキストデータに変換する変換手段とを有することを特徴とするデジタルカメラ。
【請求項２】  被写体を撮影する撮影手段と、
前記撮影手段によって得られた画像データに基づいて画像を表示する表示手段と、
前記表示手段に表示された画像に関する補正の指示を行なう指示手段と、
前記指示手段による指示に応じて画像データをパース補正する補正手段とを有することを特徴とするデジタルカメラ。
【請求項３】  被写体を撮影する撮影手段と、
前記撮影手段を用い前記被写体を撮影することによって得られる画像データをＯＣＲ処理のために２値モノクロデータとして取得する第１のモードと前記画像データを多値カラーデータとして取得する第２のモードとを切換える切換手段とを有することを特徴とするデジタルカメラ。
【請求項４】  前記撮影手段を用い前記被写体を撮影することによって得られた画像データをパース補正する補正手段をさらに有することを特徴とする請求項３に記載のデジタルカメラ。
【請求項５】  前記補正手段により補正された画像データにＯＣＲ処理を施して、前記画像データをテキストデータに変換する変換手段をさらに有することを特徴とする請求項３又は４に記載のデジタルカメラ。
【請求項６】  被写体を撮影する撮影手段と、
前記撮影手段を用い前記被写体を複数の領域に分割して撮影することによって得られた複数の画像夫々に対応した画像データを補正する補正手段と、
前記補正された画像データにＯＣＲ処理を施して、前記補正された画像データをテキストデータに変換する変換手段と、
前記変換手段によって変換された前記分割画像毎の画像データに対応するテキストデータを編集して１つのテキストデータに統合する統合手段とを有することを特徴とするデジタルカメラ。
【請求項７】  前記被写体の種類に応じて撮影モードを変更するよう指示する第１指示手段と、
前記撮影手段に複数の所定の分割パターンから１つの分割パターンを選択するよう指示する第２指示手段と、
前記補正手段に補正指示を行なう第３指示手段とをさらに有することを特徴とする請求項６に記載のデジタルカメラ。
【請求項８】  前記撮影モードには、前記被写体をモノクロの２値画像として撮影する第１のモードと、前記被写体をカラーの多値画像として撮影する第２のモードとを有することを特徴とする請求項６又は７に記載のデジタルカメラ。
【請求項９】  前記統合手段によって統合されたテキストデータを外部装置に出力するインタフェース手段をさらに有することを特徴とする請求項６乃至８のいずれかに記載のデジタルカメラ。
【請求項１０】  前記撮影手段によって撮影された画像を表示する表示手段をさらに有し、
前記補正手段は、前記第３指示手段による指示に従って、前記表示手段に表示された画像を参照しつつ、マンマシンインタラクティブに、水平方向、垂直方向、前記表示画像の中心を軸とする時計回り及び反時計回り方向に、前記撮影された画像の歪みを補正することを特徴とする請求項６乃至９のいずれかに記載のデジタルカメラ。
【請求項１１】  前記統合手段は、
前記変換手段によって得られた前記複数の画像毎の画像データに基づいて、前記複数の画像各々が相互に隣接或は重複している部分を検出する検出手段と、
前記検出手段による検出結果に基づいて、前記複数の画像毎の画像データに対応するテキストデータを結合する結合手段とを含むことを特徴とする請求項６乃至１０のいずれかに記載のデジタルカメラ。
【請求項１２】  前記撮影手段による撮影によって得られた前記複数の画像毎の画像データを格納する第１記憶手段と、
前記変換手段によって変換されたテキストデータ及び前記統合手段によって統合されたテキストデータを格納する第２記憶手段とをさらに有することを特徴とする請求項６乃至１１のいずれかに記載のデジタルカメラ。
【請求項１３】  前記撮影手段による撮影によって得られた前記複数の画像毎の画像データを前記第１記憶手段に格納する前に圧縮する圧縮手段と、
前記圧縮手段によって圧縮され前記第１記憶手段に格納された画像データを読み出して伸長する伸長手段とをさらに有することを特徴とする請求項１２に記載のデジタルカメラ。
【請求項１４】  前記被写体は記録媒体上に記録された文書を含むことを特徴とする請求項１乃至１３のいずれかに記載のデジタルカメラ。
【請求項１５】  請求項６乃至１３のいずれか１つに記載のデジタルカメラを用いた情報処理システムであって、
前記統合手段によって統合されたテキストデータを受信する受信手段と、
前記受信手段によって受信されたテキストデータに基づいてテキストをプリント出力する出力手段とを有することを特徴とする情報処理システム。
【請求項１６】  前記被写体は記録媒体上に記録された文書を含むことを特徴とする請求項１５に記載の情報処理システム。
【請求項１７】  デジタルカメラにより被写体を複数のブロック画像に分割して撮影されたブロック画像各々に対応した画像データを記憶する記憶手段と、
前記分割撮影により生じた前記複数の画像各々の歪みを前記ブロック画像単位で補正する補正手段と、
前記補正手段により補正された複数のブロック画像各々に対応する画像データを、隣接或いは重複部分を考慮して、１つの全体画像データに合成する合成手段とを有することを特徴とする情報処理装置。
【請求項１８】  前記記憶手段に記憶された前記複数のブロック画像各々に対して文字認識処理を施す文字認識手段をさらに有し、
前記合成手段は、前記複数のブロック画像毎の画像データに対応する前記文字認識手段により生成されたテキストデータを合成することを特徴とする請求項１７に記載の情報処理装置。
【請求項１９】  前記合成手段は、
前記複数のブロック画像毎の画像データに基づいて、前記複数の画像各々が相互に隣接或は重複している部分を検出する検出手段と、
前記検出手段による検出結果に基づいて、前記複数のブロック画像毎の画像データに対応するテキストデータを結合する結合手段とを含むことを特徴とする請求項１８に記載の情報処理装置。
【請求項２０】  前記検出手段は、隣接或いは重複部分を文字単位で検知し、
前記結合手段は、前記検出手段による検出結果に基づき、前記複数のブロック画像の画像データに対応するテキストデータを文字単位で合成して、完全なテキストデータを形成することを特徴とする請求項１９に記載の情報処理装置。
【請求項２１】  前記被写体は記録媒体上に記録された文書を含むことを特徴とする請求項１７乃至２０のいずれかに記載の情報処理装置。
【請求項２２】  デジタルカメラにより被写体を撮影することによって得られた画像データにＯＣＲ処理を施して、前記画像データをテキストデータに変換する変換工程を有することを特徴とする情報処理方法。
【請求項２３】  デジタルカメラによって得られた画像データに基づく画像を表示する表示工程と、
前記表示工程において表示された画像に関する補正の指示を行なう指示工程と、
前記指示工程における指示に応じて画像データをパース補正する補正工程とを有することを特徴とする情報処理方法。
【請求項２４】  デジタルカメラを用い被写体を撮影することによって得られる画像データをＯＣＲ処理のために２値モノクロデータとして取得する第１のモードと前記画像データを多値カラーデータとして取得する第２のモードとを切換える切換工程を有することを特徴とする情報処理方法。
【請求項２５】  デジタルカメラを用い被写体を複数の領域に分割して撮影することによって得られた複数の画像夫々に対応した画像データを補正する補正工程と、
前記補正工程において補正された画像データにＯＣＲ処理を施して、前記補正された画像データをテキストデータに変換する変換工程と、
前記変換工程において変換された前記分割画像毎の画像データに対応するテキストデータを編集して１つのテキストデータに統合する統合工程とを有することを特徴とする情報処理方法。
【請求項２６】  デジタルカメラにより被写体を複数のブロック画像に分割して撮影されたブロック画像各々に対応した画像データを記憶する記憶工程と、
前記分割撮影により生じた前記複数の画像各々の歪みを前記ブロック画像単位で補正する補正工程と、
前記補正工程において補正された前記複数のブロック画像各々に対応する画像データを、隣接或いは重複部分を考慮して、１つの全体画像データに合成する合成工程とを有することを特徴とする情報処理方法。
【手続補正３】
【補正対象書類名】明細書
【補正対象項目名】０００１
【補正方法】変更
【補正の内容】
【０００１】
【発明の属する技術分野】
本発明はデジタルカメラ、情報処理システム、情報処理装置、及び、情報処理方法に関し、特に、原稿文書を読み取ってＯＣＲ処理を行なうデジタルカメラ、そのデジタルカメラを用いた情報処理システム、情報処理装置、及び、情報処理方法に関するものである。
【手続補正４】
【補正対象書類名】明細書
【補正対象項目名】０００６
【補正方法】変更
【補正の内容】
【０００６】
本発明は上記従来例に鑑みてなされたもので、正確な文書読取りができるデジタルカメラ、そのデジタルカメラを用いた情報処理システム、情報処理装置、及び、情報処理方法を提供することを目的とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１２
【補正方法】変更
【補正の内容】
【００１２】
また他の発明によれば、被写体を撮影する撮影手段と、前記撮影手段によって得られた画像データに基づいて画像を表示する表示手段と、前記表示手段に表示された画像に関する補正の指示を行なう指示手段と、前記指示手段による指示に応じて画像データをパース補正する補正手段とを有することを特徴とするデジタルカメラを備える。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１７
【補正方法】変更
【補正の内容】
【００１７】
さらに他の発明によれば、被写体を撮影する撮影手段と、前記撮影手段を用い前記被写体を撮影することによって得られる画像データをＯＣＲ処理のために２値モノクロデータとして取得する第１のモードと前記画像データを多値カラーデータとして取得する第２のモードとを切換える切換手段とを有することを特徴とするデジタルカメラを備える。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
さらに、前記撮影手段を用い前記被写体を撮影することによって得られた画像データにパース補正をする補正手段を備え、さらにまた、その補正された画像データにＯＣＲ処理を施して前記画像データをテキストデータに変換する変換手段を備えることが望ましい。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２８
【補正方法】変更
【補正の内容】
【００２８】
前記被写体は記録媒体上に記録された文書を含むことが望ましい。
さらにまた他の発明によれば、上記構成のデジタルカメラを用いた情報処理システムであって、前記統合手段によって統合されたテキストデータを受信する受信手段と、前記受信手段によって受信されたテキストデータに基づいてテキストをプリント出力する出力手段とを有することを特徴とする情報処理システムを備える。
【手続補正１７】
【補正対象書類名】明細書
【補正対象項目名】００２９
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】変更
【補正の内容】
【００３２】
さらにまた他の発明によれば、デジタルカメラにより被写体を複数のブロック画像に分割して撮影されたブロック画像各々に対応した画像データを記憶する記憶手段と、前記分割撮影により生じた前記複数の画像各々の歪みを前記ブロック画像単位で補正する補正手段と、前記補正手段により補正された複数のブロック画像各々に対応する画像データを、隣接或いは重複部分を考慮して、１つの全体画像データに合成する合成手段とを有することを特徴とする情報処理装置を備える。
さらにまた他の発明によれば、デジタルカメラにより被写体を撮影することによって得られた画像データにＯＣＲ処理を施して、前記画像データをテキストデータに変換する変換工程を有することを特徴とする情報処理方法を備える。
【手続補正２０】
【補正対象書類名】明細書
【補正対象項目名】００３３
【補正方法】変更
【補正の内容】
【００３３】
さらにまた他の発明によれば、デジタルカメラによって得られた画像データに基づく画像を表示する表示工程と、前記表示工程において表示された画像に関する補正の指示を行なう指示工程と、前記指示工程における指示に応じて画像データをパース補正する補正工程とを有することを特徴とする情報処理方法を備える。
さらにまた他の発明によれば、デジタルカメラを用い被写体を撮影することによって得られる画像データをＯＣＲ処理のために２値モノクロデータとして取得する第１のモードと前記画像データを多値カラーデータとして取得する第２のモードとを切換える切換工程を有することを特徴とする情報処理方法を備える。
【手続補正２１】
【補正対象書類名】明細書
【補正対象項目名】００３４
【補正方法】変更
【補正の内容】
【００３４】
さらにまた他の発明によれば、デジタルカメラを用い被写体を複数の領域に分割して撮影することによって得られた複数の画像夫々に対応した画像データを補正する補正工程と、前記補正工程において補正された画像データにＯＣＲ処理を施して、前記補正された画像データをテキストデータに変換する変換工程と、前記変換工程において変換された前記分割画像毎の画像データに対応するテキストデータを編集して１つのテキストデータに統合する統合工程とを有することを特徴とする情報処理方法を備える。
さらにまた他の発明によれば、デジタルカメラにより被写体を複数のブロック画像に分割して撮影されたブロック画像各々に対応した画像データを記憶する記憶工程と、前記分割撮影により生じた前記複数の画像各々の歪みを前記ブロック画像単位で補正する補正工程と、前記補正工程において補正された前記複数のブロック画像各々に対応する画像データを、隣接或いは重複部分を考慮して、１つの全体画像データに合成する合成工程とを有することを特徴とする情報処理方法を備える。
【手続補正２２】
【補正対象書類名】明細書
【補正対象項目名】００３５
【補正方法】削除
【補正の内容】